(57)【要約】【課題】パチンコ遊技場におけるパチンコ玉の回収と、ごみの清掃とを能率的に行うこと。【解決手段】パチンコ遊技場における床上落下物の収集構造（１９）は、複数のパチンコ機からなるパチンコ島前方の床（２１）に設けた、パチンコ島と実質的に平行に延びる少なくとも１つの溝（２３）と、パチンコ玉が転がるように溝内に着脱可能に配置した、溝の長さ方向へ延びるスノコ（２５）と、スノコの終端部に着脱可能に配置した、パチンコ玉を回収可能な回収ボックス（２７）と、スノコの少なくとも一部分において当該部分（２５ｄ）を通過したごみを受け入れるように、スノコの下方に配置したごみ収集ボックス（２９）と、を備える。【選択図】      図１
2004187757.tif 000002
【特許請求の範囲】
【請求項１】
複数のパチンコ機からなるパチンコ島前方の床に設けた、当該パチンコ島と実質的に平行に延びる少なくとも１つの溝と、
パチンコ玉が転がるように前記溝内に着脱可能に配置した、前記溝の長さ方向へ延びるスノコと、
当該スノコの終端部に着脱可能に配置した、パチンコ玉を回収可能な回収ボックスと、
前記スノコの少なくとも一部分において当該部分を通過したごみを受け入れるように、前記スノコの下方に配置したごみ収集ボックスと、を備える
ことを特徴とする、パチンコ遊技場における床上落下物の収集構造。
【請求項２】
前記ごみ収集ボックスの上方に位置する前記スノコの部分の上方を被い、かつ、落下物を前記スノコに導き可能に形成した投入蓋と、前記スノコの前記部分以外の上方を被う蓋と、を備える
ことを特徴とする、請求項１に記載のパチンコ遊技場における床上落下物の収集構造。
【請求項３】
前記投入蓋は、開閉可能である
ことを特徴とする、請求項２に記載のパチンコ遊技場における床上落下物の収集構造。
【請求項４】
前記投入蓋は、孔開きプレートである
ことを特徴とする、請求項２に記載のパチンコ遊技場における床上落下物の収集構造。
【請求項５】
複数のパチンコ機からなるパチンコ島周囲の床に設けた少なくとも１つの凹所と、
パチンコ玉とごみとを分別可能な、前記凹所内に着脱可能に配置した分別手段と、を備える
ことを特徴とする、パチンコ遊技場における床上落下物の収集構造。
【請求項６】
前記分別手段の上方を被い、かつ、落下物を前記分別手段に導き可能に形成した投入蓋を備える
ことを特徴とする、請求項５に記載のパチンコ遊技場における床上落下物の収集構造。
【発明の詳細な説明】
【０００１】
【発明の属する技術分野】
この発明は、パチンコ遊技場において、パチンコ玉及びごみのような床上落下物を収集する収集構造に関する。
【０００２】
【従来の技術】
パチンコ遊技場の床上に落下したパチンコ玉の回収や、床上のごみの清掃は、人による手作業で行われている（たとえば、特許文献１及び２参照）。
【０００３】
【特許文献１】
特開平６―２６１９８１号公報
【特許文献２】
特開２００１―９６０５６号公報
【０００４】
【発明が解決しようとする課題】
パチンコ遊技場では、複数のパチンコ機を、各パチンコ機の遊技面が実質的に同一面上に位置するように一列に並べると共に、この一列と別の一列とを背中合わせにして、パチンコ島と呼称される遊技ゾーンを作り、このような遊技ゾーンを複数並列して遊技場が形成される。そして、パチンコ島間には、各パチンコ機に対面するように椅子を配置してある。そのため、パチンコ島間の床を清掃するとき、パチンコ島にあるパチンコ機の遊技面に沿って移動しながら作業をするが、椅子が邪魔となるため、手間がかかってしまう。
【０００５】
加えて、床上に落下したパチンコ玉は回収して再使用するが、床上のごみはそのまま廃棄することから、清掃後、両者を分別しなければならない。この分別作業は煩雑であるため、現状では、パチンコ玉をマグネット付き用具で拾い、別途ごみを掃いたり、拭ったりしている。
【０００６】
【課題を解決するための手段】
この発明は、パチンコ遊技場におけるパチンコ玉の回収と、ごみの清掃とを能率的に行うことができる、パチンコ遊技場における床上落下物の収集構造を提供することを課題とする。この課題を解決するため、この発明の発明者は、パチンコ遊技場の、床面より低くなる床の部位に、パチンコ玉とごみとを分別可能な分別手段を配置した。発明の詳細については項を改めて説明する。なお、いずれかの請求項に記載した発明について行う用語の定義などは、発明の性質に反しない限り、別の請求項に記載した発明にも適用されるものとする。
【０００７】
（請求項１に記載した発明の構成）
請求項１に記載した発明に係る、パチンコ遊技場における床上落下物の収集構造（以下、請求項１の収集構造という）は、複数のパチンコ機からなるパチンコ島前方の床に設けた、当該パチンコ島と実質的に平行に延びる少なくとも１つの溝と、パチンコ玉が転がるように前記溝内に着脱可能に配置した、前記溝の長さ方向へ延びるスノコと、当該スノコの終端部に着脱可能に配置した、パチンコ玉を回収可能な回収ボックスと、前記スノコの少なくとも一部分において当該部分を通過したごみを受け入れるように、前記スノコの下方に配置したごみ収集ボックスと、を備えることを特徴とする。
【０００８】
パチンコ島前方とは、パチンコ島間、パチンコ島と遊技場の壁もしくは扉間と言い換えることもできる。落下物は、回収して再使用するパチンコ玉の他、ごみのような再使用することなく、そのまま廃棄する落下物を含む。溝は、溝の両側にある２つのパチンコ島の一方に近接して１つの溝を設けたり、パチンコ島間のほぼ中央に１つの溝を設けたりする他、それぞれのパチンコ島に近接してパチンコ島間に２つの溝を設けたりすることができる。溝はパチンコ島の端から端まで延びることが好ましいが、中間部分に、又は端部分にあってもよい。スノコは、パチンコ玉が転がるように配置する。換言すると、パチンコ玉を通過させないが、ごみを通過させるすきまを有するように形成し、始端部から終端部に向けて下向き傾斜で配置する。スノコは、通常、各溝に１系列配置すればよく、収集の便宜を考慮して２系列配置することもできる。回収ボックスは、スノコ毎の終端部に配置したり、２系列のスノコに共通的に１つの回収ボックスを配置したりすることができる。例えば、２系列のスノコを溝内に配置すると共に、溝の長さ方向のほぼ中央に１つの回収ボックスを配置する。ごみ収集ボックスは、スノコの全長に渡るように配置してもよいが、落下物をスノコに導く個所においてスノコの下方に配置するだけで十分である。ごみ収集ボックスからごみその他の無用な落下物を取り出すには、ごみ収集ボックスを溝に着脱可能に形成し、ごみ収集ボックスを溝から抜き出すことによって行うか、又は本発明とは関係なく別途設ける真空掃除機その他の真空吸引力を利用して行うことができる。
【０００９】
（請求項１に記載した発明の作用効果）
請求項１の収集構造によれば、ごみ収集ボックスを下方に配置したスノコの部分に落下物を導くだけで落下物の収集ができることと、収集した落下物をスノコで分別し、パチンコ玉を回収ボックスに、またごみのような無用な落下物をごみ収集ボックスに集めることから、床上落下物の清掃を能率的に行うことができる。また、落下物の収集をパチンコ島間単位で行うことができるため、遊技時間中の立て込んだパチンコ遊技場で落下物を収集した塵取りなどを別のパチンコ島間に運ぶ必要がなく、その際の無用な気配りや緊張を作業者に及ぼすことがない。また、溝とスノコを面的に広げて配置しても、回収ボックスやごみ収集ボックスは最小限の数量とすることができるため、清掃後の処理、つまりパチンコ玉の回収とごみの廃棄とを速やかに行うことができる。
【００１０】
（請求項２に記載した発明の構成）
請求項２に記載した発明に係る、パチンコ遊技場における床上落下物の収集構造（以下、請求項２の収集構造という）は、請求項１の収集構造に限定が加わり、前記ごみ収集ボックスの上方に位置する前記スノコの部分の上方を被い、かつ、落下物を前記スノコに導き可能に形成した投入蓋と、前記スノコの前記部分以外の上方を被う蓋と、を備えることを特徴とする。投入蓋は開閉可能に形成することができる。そのためには、開閉用の取っ手などを取り付け、ヒンジによって片開き式に床又は溝に取り付けると共に、開いた状態を保つストッパを備える他、ストッパを備えることなくパチンコ島の壁面に当てがって開いた状態を保つことができる。さらに、投入蓋を単に溝の縁に載せるだけの構造とし、落下物をスノコに導く際、蓋を溝から取り外すようにすることもできる。投入蓋はまた、エキスパンドメタル又はパンチングメタルのような、落下物が通過する大きさのすきま又は孔を有する孔開きプレートとすることができる。一方、蓋は、ごみ収集ボックスの上方に位置するスノコの部分以外を被うように密閉タイプとする。蓋は、いくつかに分割した形態とし、溝に着脱可能であることが好ましい。
【００１１】
（請求項２に記載した発明の作用効果）
請求項２の収集構造によれば、床上の落下物を収集しようとするとき、投入蓋が開閉可能なものであれば、投入蓋を開いて、また投入蓋が孔開きプレートであれば、そのままで、落下物をスノコ上に落とすことができる。そして、収集後には投入蓋及び蓋がスノコを被うため、人の足その他の物が溝に入るのを防ぐことができる。
【００１２】
（請求項３に記載した発明の構成）
請求項３に記載した発明に係る、パチンコ遊技場における床上落下物の収集構造（以下、請求項３の収集構造という）は、請求項２の収集構造に限定が加わり、前記投入蓋は、開閉可能であることを特徴とする。開閉可能にするには、前述したように、ヒンジを設けたり、ヒンジなしで溝に載せるだけの構造としたりすることができる。
【００１３】
（請求項３に記載した発明の作用効果）
請求項３の収集構造によれば、投入蓋が開閉可能であるため、投入蓋の材料を任意に選定できる。また、床上の落下物を収集しようとするとき投入蓋を開き、収集後には閉じた状態に保つことができるため、遊技者が誤って硬貨その他の落ちては困る物を床に落としても、スノコ上に落ちるのを防ぐことができる。
【００１４】
（請求項４に記載した発明の構成）
請求項４に記載した発明に係る、パチンコ遊技場における床上落下物の収集構造（以下、請求項４の収集構造という）は、請求項２の収集構造に限定が加わり、前記投入蓋は、孔開きプレートであることを特徴とする。孔開きプレートは前述したように、エキスパンドメタルやパンチングメタル、スノコである。
【００１５】
（請求項４に記載した発明の作用効果）
請求項４の収集構造によれば、床上の落下物を収集しようとするとき、作業員が屈んで投入蓋を開ける必要がなく、作業員の負担を軽減できる。
【００１６】
（請求項５に記載した発明の構成）
請求項５に記載した発明に係る、パチンコ遊技場における床上落下物の収集構造（以下、請求項５の収集構造という）は、複数のパチンコ機からなるパチンコ島周囲の床に設けた少なくとも１つの凹所と、パチンコ玉とごみとを分別可能な、前記凹所内に着脱可能に配置した分別手段と、を備えることを特徴とする。
【００１７】
凹所は、この凹所の両側にある２つのパチンコ島の一方に近接した部位に、又はパチンコ島間のほぼ中央部位に、又はそれぞれのパチンコ島に近接した部位に、又はパチンコ島の妻側に設けることができる。何れの形態でも、パチンコ島の周囲に間隔をおいて複数設けることが好ましい。凹所の大きさは、この凹所内に配置する分別手段に応じて定めることができ、分別手段の大きさは、溜まったパチンコ玉と一緒に分別手段を容易に、つまり作業員に過大な負担を負わすことなく、凹所から引き上げることができるように定めることが好ましい。分別手段は、上方が開口し、下方部位に、パチンコ玉が通過しないが、ごみが通過する大きさの孔、すきまなどを有するプレート、スノコなどを配置した箱体を備える。箱体のプレート又はスノコの下側に複数の脚をつけ、ごみがプレート又はスノコの下方に溜まるようにする。分別手段はさらに、前記箱体を収容する第２の箱体を備えることができる。第２の箱体を備える場合、ごみは第２の箱体に収集される。一方、第２の箱体を備えない場合、ごみは凹所に収集される。このごみは、第２の箱体を備える場合にはその第２の箱体を、例えば引っ繰り返して、又は本発明とは関係なく別途設ける真空掃除機その他の真空吸引力で吸引して処理する。ごみが凹所に収集される場合、真空吸引力で吸引する。
【００１８】
（請求項５に記載した発明の作用効果）
請求項５の収集構造によれば、床上の落下物を、床を掃いたり、拭ったりして分別手段に導くだけで落下物の収集ができることと、収集した落下物を分別手段で分別し、パチンコ玉とごみとに分別できることから、床上落下物の清掃と、分別とを能率的に行うことができる。また、凹所と分別手段とからなる簡便な構造であるから、パチンコ遊技場のパチンコ島周囲に満遍なく配置することができる。その結果、床を掃いたり、拭ったりして集めた落下物を可及的に短い距離を経て分別手段に導くことができるため、清掃そのものがし易くなる。
【００１９】
（請求項６に記載した発明の構成）
請求項６に記載した発明に係る、パチンコ遊技場における床上落下物の収集構造（以下、請求項６の収集構造という）は、請求項５の収集構造に限定が加わり、前記分別手段の上方を被い、かつ、落下物を前記分別手段に導き可能に形成した投入蓋を備えることを特徴とする。投入蓋は、ヒンジによって開閉式に形成したり、単に凹所の縁に載せて閉じ、縁から外して開くように形成したり、パチンコ玉が通過可能な孔を有する、エキスパンドメタルやパンチングメタルで形成したりすることができる。
【００２０】
（請求項６に記載した発明の作用効果）
請求項６の収集構造によれば、清掃時以外のとき、分別手段を投入蓋で被っておくことができることから、遊技者の足が落ち込むような事故を未然に防ぐことができる。また、遊技者がごみ以外の物を落としても、その物が分別手段に落ちることがない。
【００２１】
【発明の実施形態】
以下に、この発明の実施形態について図面を参照して説明する。図面中、図１は、本発明に係るパチンコ遊技場における床上落下物の収集構造の実施形態を示す断面図、図２は図１の右側面図、図３は、本発明に係るパチンコ遊技場における床上落下物の収集構造の、別の実施形態を示す分解斜視図、図４は本発明に係る収集構造を備えたパチンコ遊技場の斜視図である。
【００２２】
（遊技場の概略）
パチンコ遊技場では、図４に示すように、複数のパチンコ島１１，１１・・を並列配置してある。各パチンコ島１１は、複数のパチンコ機１３それぞれの遊技面１３ａが実質的に同一面上に位置するように、複数のパチンコ機１３，１３・・を横方向に配列すると共に、このような配列を背中合わせにして形成されている。各パチンコ機１３で遊技に供されたパチンコ玉は、傾斜シュート（図示を省略）によって一箇所に集められた後、揚送装置（図示を省略）によって上部タンク１５に導かれて再び遊技に供される。隣接するパチンコ島１１，１１間には、一方のパチンコ島１１から他方のパチンコ島１１へパチンコ玉を供給する渡り樋１７が上部タンク１５を接続した形態で設けられている。前記構成自体は公知である。
【００２３】
（収集構造の構成）
収集構造１９は、複数のパチンコ島１１を並列してなる遊技場のパチンコ島１１，１１間の床２１に設けた、パチンコ機１３，１３・・の遊技面１３ａ，１３ａ・・と実質的に平行に、つまりパチンコ島１１と実質的に平行に延びる溝２３と、パチンコ玉Ｐが転がるように溝２３内に着脱可能に配置した、溝２３の長さ方向に延びるスノコ２５と、スノコ２５の終端部に着脱可能に配置した回収ボックス２７と、ごみ収集ボックス２９と、を備える。
【００２４】
各パチンコ島１１は、パチンコ機１３，１３・・の遊技面１３ａ，１３ａ・・下側に位置するように、膳板３１を備えている。換言すると、パチンコ機１３，１３・・を載せる台の一部を張り出して膳板３１としてある。溝２３は、膳板３１の下方に位置し、かつ、膳板３１と実質的に同じ長さに渡ってパチンコ島１１の横方向へ延びるように、パチンコ島１１の前面パネル１１ａに近接して床２１に設けられている。収集しようとする主たる落下物がパチンコ玉であるから、溝２３の幅、つまりパチンコ機１３，１３・・の遊技面１３ａ，１３ａ・・と直交する方向の間隔は、膳板３１の幅と同じ程度でよい。また、溝２３の深さは、溝２３内に配置するスノコ２５及びごみ収集ボックス２９に応じて定めることができる。
【００２５】
スノコ２５は、パチンコ玉Ｐが転がるように形成する。図示の実施形態では、複数の板３３，３３・・を、パチンコ玉Ｐの直径より小さい間隔をおいて直立に配置すると共に、これら板３３，３３・・を水平に配置した複数の支持ロッド３５，３５・・で支持して作られており、始端部２５ａから終端部２５ｂに向けて、パチンコ玉Ｐの転がり面は下向き傾斜している。スノコ２５の底面２５ｃは水平である。スノコ２５をパチンコ島１１に沿って配置するには、スノコ２５の全長が長くなる。そこで、いくつかに分割して作ったスノコ部分を連結してスノコ２５とする。スノコ２５は、例えば硬質プラスチックを成形して作ることができる。
【００２６】
回収ボックス２７は上方を開口とした箱体であり、スノコ２５の終端部２５ｂ、つまりスノコ２５を転がってきたパチンコ玉Ｐがスノコ２５から離れる個所の床２１に設けた孔３７内に取出し可能に収納してある。取出しや収納の便宜のため、取っ手２７ａを箱体に取りつけてある。
【００２７】
ごみ収集ボックス２９は、スノコ２５のすきまを通過したごみを受け入れるが、スノコ２５の全長に渡って配置する必要はなく、清掃の便宜を考慮し、一箇所ないし数箇所とすることができる。図示の実施形態では、落下物をスノコ２５に導く個所２５ｄ、つまりスノコ２５の始端部２５ａ近傍にあるスノコ部分２５ｄの下方に設けた床の孔３９内に着脱可能に配置してある。ごみ収集ボックス２９は、溝２３とは別の孔３９内に配置する他、スノコ２５の大きさによっては、スノコ２５を受ける台として溝２３の底面２３ａに載せることもできる。ごみ収集ボックス２９は、取出しや収納の便宜のため、取っ手２９ａをつけることが好ましい。
【００２８】
この発明では、ごみ収集ボックス２９内に収集したごみを、真空吸引力を利用して処理することを想定しているが、この場合、孔３９そのものをごみ収集ボックス２９として使用することができる。この明細書でスノコの下方に配置したごみ収集ボックスとは、独立したボックスの形態と、床の孔の形態とを意味する。
【００２９】
ごみ収集ボックス２９の上方に位置するスノコ部分２５ｄは、溝２３に着脱可能に形成する。例えば、溝２３の底面２３ａに複数のピンを植えておき、一方スノコ部分２５ｄには前記ピンと整合する孔を開けておき、スノコ部分２５ｄの孔にピンが嵌入したとき、スノコ部分２５ｄがごみ収集ボックス２９に対して、またスノコ２５の他の部分に対して正規な位置となるようにする。
【００３０】
図示の実施形態では、ごみ収集ボックス２９の上方に位置するスノコ部分２５ｄの上方を被い、かつ、落下物をスノコ２５に導き可能に形成した投入蓋４１と、スノコ部分２５ｄ以外のスノコ２５の上方を被う蓋４３とが設けられている。図１及び図４には、便宜上、投入蓋４１と蓋４３とにハッチを入れてある。投入蓋４１は、ごみ収集ボックス２９の上方に位置するスノコ部分２５ｄに対応して配置する。一方、蓋４３は投入蓋４１と相俟ってスノコ２５の全体を覆うように複数の蓋を配置する。投入蓋４１と蓋４３とは、溝２３の上縁に設けた段部（図示を省略）に載ってスノコ２５を覆った状態に保たれる。この状態で、投入蓋４１及び蓋４３が床２１と実質的に同一面上に位置するようにそれぞれの寸法を定める。投入蓋４１はヒンジ（図示を省略）によって片開きに開放可能であり、投入蓋４１を開放した状態に保って床２１上の落下物をスノコ２５に導く。
【００３１】
投入蓋４１を開放状態に保つには、投入蓋４１をパチンコ島１１の前面パネル１１ａに当てがうだけでもよく、また前面パネル１１ａにストッパ（図示を省略）を回転可能に取り付けておき、ストッパを回転して投入蓋４１の縁部をストッパで受け止め、投入蓋４１が倒れるのを防ぐようにしてもよい。さらに、２つのクランクアーム（図示を省略）を床２１と投入蓋４１とにそれぞれ枢着すると共に、両者をピン結合し、投入蓋４１を持ち上げて、ピンの中心が２つのクランクアームの枢着点を結ぶ線を超えたとき、クランクアームのそれ以上の揺動ができないように形成することにより、投入蓋４１を開放位置に保持できる。
【００３２】
（実施形態の収集構造の作用）
床２１上の落下物を収集しようとするとき、投入蓋４１を開き、箒やモップを使用して床２１を掃いたり、拭ったりして落下物を開いた投入蓋４１の部位からスノコ２５に導く。この際の落下物の導きを確実にするため、溝２３の上縁に傾斜ガイド２３ｂを設けておくことが好ましい。そして、落下物をスノコ２５に投入すると、落下物のうちパチンコ玉Ｐはスノコ２５上に落ちて転がり、回収ボックス２７に入る。一方、ごみはスノコ２５のすきまを通過してごみ収集ボックス２９に入る。収集が終了した後、投入蓋４１を閉じる。パチンコ玉が相当量溜まったとき回収ボックス２７の上方にある蓋を開いて回収ボックス２７を引き上げ、パチンコ玉を回収する。また、ごみは、ごみ収集ボックス２９の上方にあるスノコ部分２５ｄを取り除き、真空吸引力を利用して、又はごみ収集ボックス２９を引き上げ、これを引っ繰り返して処理する。
【００３３】
（別の収集構造の構成）
図３に示した収集構造４５は、床２１に設けた凹所４７と、分別手段４９と、を備える。凹所４７は、パチンコ島周囲の床２１の適当な個所に設ける。一方、分別手段４９は凹所４７に入る箱体５１と、箱体５１に入る箱体５３とからなる。箱体５３は、パチンコ玉が通過しないがごみが通過する大きさのすきまのあるスノコ５３ａを底部位に有し、さらにそこから延びる４つの脚５３ｂを有する。４つの脚５３ｂが箱体５１の底面に載ったとき、箱体５３の上縁部は箱体５１よりも上方に突出する長さであり、これら全体が凹所４７内に入るように各寸法を定めてある。箱体５１の上縁部に取っ手５１ａを、箱体５３の上縁部に取っ手５３ｃをそれぞれ開けてある。分別手段４９を凹所４７に入れたとき、傾斜ガイド５５ａを有するカバー５５が分別手段４９の上方縁部周囲を被い、さらに、投入蓋５７が分別手段４９の全体を被う。投入蓋５７は落下物が通過できる孔を有するパンチングプレートであり、分別手段４９を被ったとき、床２１の床面と同じレベルとなる。
【００３４】
（別の収集構造の作用）
床２１上の落下物の収集しようとするとき、床２１を掃いて又は拭って落下物を投入蓋５７に導くと、落下物は投入蓋５７の孔を通ってスノコ５３ａに至る。落下物中のパチンコ玉はスノコ５３ａ上に残り、ごみはスノコ５３ａのすきまを通って箱体５１に入ってここに溜まる。パチンコ玉が相当量溜まったとき、投入蓋５７やカバー５５を取り除き、箱体５３を引き上げてパチンコ玉を回収する。ごみは、真空吸引力を利用して又は箱体５１を引き上げ、これを引っ繰り返して処理する。
【００３５】
【発明の効果】
この発明によれば、遊技場におけるパチンコ玉の回収やごみの収集を能率的に行うことができる。
【図面の簡単な説明】
【図１】本発明に係るパチンコ遊技場における床上落下物の収集構造の実施形態を示す断面図である。
【図２】図１の右側面図である。
【図３】本発明に係るパチンコ遊技場における床上落下物の収集構造の、別の実施形態を示す分解斜視図である。
【図４】本発明に係る収集構造を備えたパチンコ遊技場の斜視図である。
【符号の説明】
１１        パチンコ島
１１ａ      前面パネル
１３        パチンコ機
１３ａ      遊技面
１５        上部タンク
１７        渡り樋
１９，４５  収集構造
２１        床
２３        溝
２３ａ      底面
２５        スノコ
２５ａ      始端部
２５ｂ      終端部
２５ｃ      底面
２５ｄ      スノコ部分
２７        回収ボックス
２７ａ      取っ手
２９        ごみ収集ボックス
２９ａ      取っ手
３１        膳板
３３        板
３５        支持ロッド
３７，３９  孔
４１        投入蓋
４３        蓋
４７        凹所
４９        分別手段
５１，５３  箱体
５１ａ      取っ手
５３ａ      スノコ
５３ｂ      脚
５３ｃ      取っ手
５５        カバー
５５ａ      傾斜ガイド
５７        投入蓋
【図１】
2004187757.tif 000003
【図２】
2004187757.tif 000004
【図３】
2004187757.tif 000005
【図４】
2004187757.tif 000006